(57)【要約】【課題】  しおり・付箋等の目印情報を有効に活用することが可能な電子冊子表示システム、電子冊子表示処理プログラム、及び電子冊子表示方法を提供する。【解決手段】  本発明は、複数頁を有する電子冊子を表示する電子冊子表示システムであって、入力手段を通じて利用者により指定された前記電子冊子の頁に目印となる目印情報（例えば、付箋情報やしおり情報）を設定する目印情報設定手段と、前記目印情報が設定された前記電子冊子の頁に記載される内容を示す内容情報を、当該目印情報に対応付けて記憶する対応付け記憶手段と、前記内容情報を前記電子冊子とは独立して表示させ、当該内容情報が前記入力手段を通じて利用者により指定された場合には、当該内容情報に対応付けられた目印情報が設定された前記電子冊子の頁を表示させる電子冊子表示制御手段と、を備える。【選択図】  図６
2007072577.tif 000002
【特許請求の範囲】
【請求項１】
複数頁を有する電子冊子を表示する電子冊子表示システムであって、
入力手段を通じて利用者により指定された前記電子冊子の頁に目印となる目印情報を設定する目印情報設定手段と、
前記目印情報が設定された前記電子冊子の頁に記載される内容を示す内容情報を、当該目印情報に対応付けて記憶する対応付け記憶手段と、
前記内容情報を前記電子冊子とは独立して表示させ、当該内容情報が前記入力手段を通じて利用者により指定された場合には、当該内容情報に対応付けられた目印情報が設定された前記電子冊子の頁を表示させる電子冊子表示制御手段と、
を備えることを特徴とする電子冊子表示システム。
【請求項２】
請求項１に記載の電子冊子表示システムにおいて、
前記対応付け記憶手段は、前記目印情報が設定された前記電子冊子の頁の表示態様を示す表示態様情報であって、前記目印情報が設定された際の前記電子冊子の頁の前記表示態様情報を前記目印情報に対応付けて記憶し、
前記電子冊子表示制御手段は、前記表示された内容情報が前記入力手段を通じて利用者により指定された場合には、当該内容情報に対応付けられた目印情報が設定された前記電子冊子の頁を、当該目印情報に対応付けられて記憶された前記表示態様情報にて示される表示態様で表示させることを特徴とする電子冊子表示システム。
【請求項３】
請求項２に記載の電子冊子表示システムにおいて、
前記表示態様情報には、前記電子冊子の頁に記載される内容の表示倍率及び表示位置の少なくとも何れか一方を含むことを特徴とする電子冊子表示システム。
【請求項４】
前記目印情報設定手段は、同一の電子冊子に対して利用者毎に前記目印情報の設定し、
前記目印情報表示制御手段は、前記目印情報が設定された前記電子冊子の頁に記載される内容を示す内容情報を、利用者毎に切替可能に表示させることを特徴とする電子冊子表示システム。
【請求項５】
請求項１乃至４の何れか一項に記載の電子冊子表示システムにおいて、
前記内容情報は、前記入力手段を通じて利用者により入力されることを特徴とする電子冊子表示システム。
【請求項６】
請求項１乃至５の何れか一項に記載の電子冊子表示システムにおいて、
前記内容情報には、当該内容が記載される電子冊子の頁数が含まれることを特徴とする電子冊子表示システム。
【請求項７】
請求項１乃至５の何れか一項に記載の電子冊子表示システムにおいて、
前記内容情報には、当該内容に関連する情報を提供するリンク先の情報が含まれることを特徴とする電子冊子表示システム。
【請求項８】
請求項１乃至７の何れか一項に記載の電子冊子表示システムにおいて、
前記電子冊子表示制御手段は、前記目印情報をＯＮ／ＯＦＦ切替可能に表示させることを特徴とする電子冊子表示システム。
【請求項９】
請求項１乃至８の何れか一項に記載の電子冊子表示システムに含まれるコンピュータを、前記目印情報設定手段、前記対応付け記憶手段、及び前記電子冊子表示制御手段として機能させることを特徴とする電子冊子表示処理プログラム。
【請求項１０】
複数頁を有する電子冊子を表示する電子冊子表示方法であって、
入力手段を通じて利用者により指定された前記電子冊子の頁に目印となる目印情報を設定する工程と、
前記目印情報が設定された前記電子冊子の頁に記載される内容を示す内容情報を、当該目印情報に対応つけて記憶する工程と、
前記内容情報を前記電子冊子とは独立して表示させ、当該内容情報が前記入力手段を通じて利用者により指定された場合には、当該内容情報に対応付けられた目印情報が設定された前記電子冊子の頁を表示させる工程と、
を備えることを特徴とする電子冊子表示方法。
【発明の詳細な説明】
【技術分野】
【０００１】
本発明は、複数頁を有する電子冊子を表示する電子冊子表示システム等の技術分野に関し、電子冊子に対してしおりや付箋等の目印情報を付加する技術分野に関する。
【背景技術】
【０００２】
従来から商品を紹介するカタログ等の印刷冊子が知られているが、近年では、このような印刷冊子がＤＴＰ(Desk Top Publishing)データやスキャンニング等によりデジタルデータ化され、そのデジタルデータをＨＴＭＬ(Hyper Text Markup Language)，ＸＭＬ(eXtensible Markup Language)やＦｌａｓｈなどを利用した表現手法で変換したデジタルカタログ等の電子冊子が普及されはじめている。
【０００３】
このような電子冊子は、例えばインターネット上におけるＷｅｂサーバから、パーソナルコンピュータ等の端末装置に対して提供され、当該端末装置において頁捲り可能に表示画面上に表示されるようになっている。また、利用者が入力手段を操作して電子冊子の気になる頁に対し、印（目印）付けをするしおり・付箋機能が知られている。
【０００４】
更に、現在表示されている電子冊子の頁に記載されたリンク（ハイパーリンク）先の情報を、後からでも閲覧可能なように、そのタイトル及びＵＲＬ（（Uniform Resource Locator）等をブックマークとしてＷＥＢブラウザにより登録するブックマーク機能が知られている。
【発明の開示】
【発明が解決しようとする課題】
【０００５】
しかしながら、従来のしおり・付箋機能では、利用者が、電子冊子のどの頁にしおりや付箋を付けたのか、その頁を実際に開いてみないと分からないことが多かった。
【０００６】
また、電子冊子上にしおりや付箋を付けすぎてしまうと、そこに掲載された例えば商品情報が見難くなり、しおりや付箋を付けた頁等の情報も把握し難くなる。
【０００７】
更に、従来のブックマーク機能では、ブックマークとして登録されたタイトル及びＵＲＬの情報は得られるが、リンク元である電子冊子の頁に掲載された情報は得られないため、利用者は、どの頁で登録されたブックマークなのかを判断することは困難であった。つまり、従来の電子冊子においては、リンク元の情報が分からないと、どの頁において登録されたブックマークなのか管理できない問題があった。
【０００８】
本発明は、以上の点に鑑みてなされたものであり、しおり・付箋等の目印情報を有効に活用することが可能な電子冊子表示システム、電子冊子表示処理プログラム、及び電子冊子表示方法を提供することを課題とする。
【課題を解決するための手段】
【０００９】
上記課題を解決するために、請求項１に記載の発明は、複数頁を有する電子冊子を表示する電子冊子表示システムであって、入力手段を通じて利用者により指定された前記電子冊子の頁に目印となる目印情報（例えば、付箋情報やしおり情報）を設定する目印情報設定手段と、前記目印情報が設定された前記電子冊子の頁に記載される内容を示す内容情報を、当該目印情報に対応付けて記憶する対応付け記憶手段と、前記内容情報を前記電子冊子とは独立して表示させ、当該内容情報が前記入力手段を通じて利用者により指定された場合には、当該内容情報に対応付けられた目印情報が設定された前記電子冊子の頁を表示させる電子冊子表示制御手段と、を備えることを特徴とする。
【００１０】
請求項２に記載の発明は、請求項１に記載の電子冊子表示システムにおいて、前記対応付け記憶手段は、前記目印情報が設定された前記電子冊子の頁の表示態様を示す表示態様情報であって、前記目印情報が設定された際の前記電子冊子の頁の前記表示態様情報を前記目印情報に対応付けて記憶し、前記電子冊子表示制御手段は、前記表示された内容情報が前記入力手段を通じて利用者により指定された場合には、当該内容情報に対応付けられた目印情報が設定された前記電子冊子の頁を、当該目印情報に対応付けられて記憶された前記表示態様情報にて示される表示態様で表示させることを特徴とする。
【００１１】
請求項３に記載の発明は、請求項２に記載の電子冊子表示システムにおいて、前記表示態様情報には、前記電子冊子の頁に記載される内容の表示倍率及び表示位置の少なくとも何れか一方を含むことを特徴とする。
【００１２】
請求項４に記載の発明は、前記目印情報設定手段は、同一の電子冊子に対して利用者毎に前記目印情報の設定し、前記目印情報表示制御手段は、前記目印情報が設定された前記電子冊子の頁に記載される内容を示す内容情報を、利用者毎に切替可能に表示させることを特徴とする。
【００１３】
請求項５に記載の発明は、請求項１乃至４の何れか一項に記載の電子冊子表示システムにおいて、前記内容情報は、前記入力手段を通じて利用者により入力されることを特徴とする。
【００１４】
請求項６に記載の発明は、請求項１乃至５の何れか一項に記載の電子冊子表示システムにおいて、前記内容情報には、当該内容が記載される電子冊子の頁数が含まれることを特徴とする。
【００１５】
請求項７に記載の発明は、請求項１乃至５の何れか一項に記載の電子冊子表示システムにおいて、前記内容情報には、当該内容に関連する情報を提供するリンク先の情報が含まれることを特徴とする。
【００１６】
請求項８に記載の発明は、請求項１乃至７の何れか一項に記載の電子冊子表示システムにおいて、前記電子冊子表示制御手段は、前記目印情報をＯＮ／ＯＦＦ切替可能に表示させることを特徴とする。
【００１７】
請求項９に記載の電子冊子表示処理プログラムは、請求項１乃至８の何れか一項に記載の電子冊子表示システムに含まれるコンピュータを、前記目印情報設定手段、前記対応付け記憶手段、及び前記電子冊子表示制御手段として機能させることを特徴とする。
【００１８】
請求項１０に記載の発明は、複数頁を有する電子冊子を表示する電子冊子表示方法であって、入力手段を通じて利用者により指定された前記電子冊子の頁に目印となる目印情報を設定する工程と、前記目印情報が設定された前記電子冊子の頁に記載される内容を示す内容情報を、当該目印情報に対応つけて記憶する工程と、前記内容情報を前記電子冊子とは独立して表示させ、当該内容情報が前記入力手段を通じて利用者により指定された場合には、当該内容情報に対応付けられた目印情報が設定された前記電子冊子の頁を表示させる工程と、を備えることを特徴とする。
【発明の効果】
【００１９】
本発明によれば、入力手段を通じて利用者により指定された電子冊子の頁に目印となる目印情報を設定し、当該目印情報が設定された前記電子冊子の頁に記載される内容を示す内容情報を、当該目印情報に対応付けて記憶しておき、前記内容情報を前記電子冊子とは独立して表示させ、当該内容情報が前記入力手段を通じて利用者により指定された場合には、当該内容情報に対応付けられた目印情報が設定された前記電子冊子の頁を表示させるようにしたので、利用者は、電子冊子のどの頁に目印（目印情報）を付けたのかを、その頁を実際に開いてみなくても迅速に把握することができ、さらに、電子冊子上に目印を多く付けすぎても、そこに掲載された内容が見難くなることがない。よって、付箋・しおり等の目印情報を有効に活用することができる。
【発明を実施するための最良の形態】
【００２０】
以下、本発明を実施するための最良の実施形態について、図面に基づいて説明する。
【００２１】
先ず、図１を参照して、本発明の一実施形態に係る電子冊子表示システムの構成及び機能について説明する。
【００２２】
図１は、本実施形態に係る電子冊子表示システムの全体構成例を示す図である。
【００２３】
図１に示すように、電子冊子表示システムＳは、端末装置１と、情報提供サーバ２と、を備えて構成されている。なお、図１の例では、説明の便宜上、１つの端末装置１を示したが、実際にはこれより多くの端末装置が存在することになる。
【００２４】
端末装置１は、インターネット等により構築されたネットワークＮＴを介してＷＥＢサーバである情報提供サーバ２に接続して通信可能（例えば、通信プロトコルにＴＣＰ／ＩＰ（Transmission Control Protocol/Internet Protocol）を用いて、相互にデータの送受信が可能）になっている。
【００２５】
図２は、情報提供サーバ２の概要構成例を示す図である。
【００２６】
図２に示すように、情報提供サーバ２は、ＣＰＵ、作業用のＲＡＭ（Random Access Memory）、データ及びプログラムを記憶するＲＯＭ（Read Only Memory）等を備える制御部２１、各種情報を記憶する記憶部（例えば、ハードディスクドライブ等からなる）２２、ネットワークＮＴを介して他の装置との間で通信を行うための通信部（例えば、通信機器、通信ポート等）２３等を備え、接続してきた端末装置１に対してネットワークＮＴを介して情報等を提供するＷＥＢサーバである。
【００２７】
制御部２１は、例えば、ＣＰＵが、ＲＯＭや記憶部２２に記憶されたプログラムを読み出して実行することにより、本発明の送受信手段等として機能し、後述する処理を実行するようになっている。
【００２８】
また、記憶部２２には、電子冊子データベース２２ａと、利用者情報データベース２２ｂとが構築されている。
【００２９】
電子冊子データベース２２ａには、複数頁を有する電子冊子のデータ（例えば、ＨＴＭＬ(Hyper Text Markup Language)やＸＭＬ(eXtensible Markup Language)で構成されたデータ、及びそこに貼り付けられる画像データ等）等が記憶されている。
【００３０】
なお、本実施形態においては、電子冊子として、商品カタログを例にとって説明するものとし、当該商品カタログには、これにより紹介される複数の商品についての商品情報が商品分類毎に掲載されている。
【００３１】
図３は、利用者情報データベース２２ｂに記憶された利用者情報の一例を示す図である。
【００３２】
図３に示すように、利用者情報データベース２２ｂには、商品カタログを閲覧する複数の利用者毎（夫々の利用者に対して固有に割り当てられた利用者ＩＤ毎）に、商品カタログの頁に設定された目印となる目印情報の一例としての付箋情報（例えば、付箋番号、付箋表示データ及び商品カタログのどの位置に付けるか（表示するか）を示す座標情報等を含む）と、当該付箋情報が設定された商品カタログの頁と、当該付箋情報が設定された際の商品カタログの頁の表示態様を示す表示態様情報と、当該付箋情報が設定された商品カタログに記載される内容（概要）を示す内容情報の一例としての見出し情報と、が対応付けられて記憶（登録）されている。
【００３３】
また、図３の例では、表示態様情報として、利用者により付箋情報が設定された際の商品カタログの頁の表示倍率及び表示位置が登録されている。この例での表示倍率及び表示位置は、初期（デフォルト）設定を基準として規定されており、例えば、「表示倍率：１．５」は、初期（デフォルト）設定における商品カタログの頁の大きさの１．５倍であることを示しており、「表示位置：Ｘ１，Ｙ１」は初期（デフォルト）設定における商品カタログの頁の位置（Ｘ，Ｙ座標）から（Ｘ１，Ｙ１）だけ移動（Ｘ１，Ｙ１は、座標を示す値）していることを示している。
【００３４】
また、図３の例における見出し情報（例えば、「５．家具」）には、付箋情報が設定された商品カタログの頁と、その頁の見出しである商品分類が含まれている。このような見出し情報は、端末装置１の利用者により入力部を通じて入力され設定されるようにしても良いし、情報提供サーバ２側で例えば商品カタログのデータから自動的に抽出され設定されるようにしても良い。
【００３５】
送受信手段としての制御部２１は、端末装置１からの要求に応じて商品カタログのデータ及び上記利用者情報をネットワークＮＴを介して端末装置１に送信するようになっている。
【００３６】
図４は、端末装置１の概要構成例を示す図である。
【００３７】
図４に示すように、端末装置１は、ＣＰＵ、作業用のＲＡＭ、データ及びプログラムを記憶するＲＯＭ等を備える制御部１１、各種情報を記憶する記憶部（例えば、ハードディスクドライブ等からなる）１２、ネットワークＮＴを介して他の装置との間で通信を行うための通信部（例えば、通信機器、通信ポート等）１３、利用者が操作入力を行うための入力手段としての入力部（例えば、キーボード、マウス等）１４、及び、商品カタログ、付箋情報及び見出し情報等を表示する表示部（例えば、液晶パネル等）１５等を備えている。なお、端末装置１としては、例えば、パーソナルコンピュータ、ＰＤＡ（Personal Digital Assistant）等を適用することができる。
【００３８】
制御部１１は、例えば、ＣＰＵが、ＲＯＭや記憶部１２に記憶されたプログラムを読み出して実行することにより、本発明の送受信手段、目印情報設定手段、対応付け記憶手段、及び電子冊子表示制御手段等として機能し、後述する処理を実行するようになっている。
【００３９】
送受信手段としての制御部１１は、情報提供サーバ２から送信されてきた上記商品カタログのデータ及び上記利用者情報を受信するようになっている。
【００４０】
目印情報設定手段としての制御部１１は、端末装置１の利用者により入力部１４を通じて指定された商品カタログの頁に目印となる付箋情報を設定し、対応付け記憶手段としての制御部２１は、当該付箋情報が設定された商品カタログの頁に記載される内容を示す内容情報の一例としての見出し情報と、付箋情報が設定された商品カタログの頁の表示態様を示す上記表示態様情報とを、付箋情報に対応付けて記憶するようになっている。
【００４１】
また、電子冊子表示制御手段としての制御部１１は、受信された商品カタログを表示部１５に表示すると共に、受信された利用者情報に含まれる見出し情報を上記商品カタログとは独立して表示させ、当該見出し情報が入力部１４を通じて利用者により指定された場合には、当該見出し情報に対応付けられた付箋情報が設定された商品カタログの頁を表示させるようになっている。また、このとき、制御部１１は、当該見出し情報に対応付けられた付箋情報が設定された商品カタログの頁を、当該付箋情報に対応付けられた表示態様情報にて示される表示態様（例えば、表示倍率及び表示位置）で表示させる。
【００４２】
次に、図５を参照して、本実施形態に係る電子冊子表示システムＳの動作について説明する。
【００４３】
図５（Ａ）は、端末装置１における制御部１１の処理を示すフローチャートであり、図５（Ｂ）は、情報提供サーバ２における制御部２１の処理を示すフローチャートである。
【００４４】
利用者が端末装置１の入力部１４を操作してブラウザを起動させ例えば情報提供サーバ２のＵＲＬ（Uniform Resource Locator）を指定すると、端末装置１がネットワークＮＴを介して情報提供サーバ２に接続され、これに応じて情報提供サーバ２からログイン画面データが送信され、端末装置１の表示部１５にログイン画面（図示せず）が表示される。このようにログイン画面が表示された状態において、利用者は入力部１４を操作して自己の利用者ＩＤ及びパスワードを入力して実行ボタンを押下すると、端末装置１は、ネットワークＮＴを介して利用者ＩＤ及びパスワードを情報提供サーバ２に送信する。これに対して、情報提供サーバ２の制御部２１は、端末装置１から送信されてきた利用者ＩＤ及びパスワードを受信すると、認証処理を実行、つまり、利用者ＩＤ及びパスワードが利用者情報データベース２２ｂに登録されているか否かを判断し、登録されている場合には、端末装置１の利用者（利用者ＩＤ）を認識し、その認証されたことを示す情報を端末装置１に対して送信し、図５（Ｂ）に示す処理を開始する。一方、端末装置１は、情報提供サーバ２からの認証されたことを示す情報を受信すると、図５（Ａ）に示す処理を開始する。
【００４５】
図５（Ｂ）が開始されると、情報提供サーバ２の制御部２１は、先ず、上記認識した利用者ＩＤに対応する利用者情報が利用者情報データベース２２ｂに登録されているか否かを判別し、登録されている場合には（ステップＳ１１：Ｙ）、利用者情報を利用者情報データベース２２ｂから取得（ＲＡＭに記憶）し（ステップＳ１２）、ステップＳ１３に移行する。一方、利用者情報が利用者情報データベース２２ｂに登録されていない場合には（ステップＳ１１：Ｎ）、ステップＳ１３に移行される。
【００４６】
次いで、制御部２１は、上記商品カタログのデータを電子冊子データベース２２ａから取得し、当該商品カタログのデータと、利用者情報が取得されている場合には、当該利用者情報と、をネットワークＮＴを介して端末装置１に送信する（ステップＳ１３）。
【００４７】
これに対し、端末装置１の制御部１１は、情報提供サーバ２から送信されてきた上記商品カタログのデータ等を受信すると（ステップＳ１：Ｙ）、受信された商品カタログを表示部１５における表示画面上に表示すると共に、上記利用者情報もが受信された場合には、当該利用者情報に基づき見出し情報を上記商品カタログとは独立して表示させる（ステップＳ２）。
【００４８】
図６（Ａ）は、利用者情報がない場合の商品カタログの表示例を示す図であり、図６（Ｂ）及び図６（Ｃ）は、利用者情報がある場合の商品カタログの表示例を示す図である。図６（Ｂ）に示す表示例では、図６（Ａ）に示す表示例とは異なり、見出し情報５１（「５．家具」）が付箋一覧５２内に商品カタログ５３とは独立して表示されている。なお、図６（Ｂ）及び図６（Ｃ）に示す表示例において、端末装置１の利用者が入力部１４を操作して次の付箋へボタン５４若しくは前の付箋へボタン５５を指定すると、次の付箋情報が設定された商品カタログの頁（現在表示されている商品カタログの頁（例えば、１頁）の後に付箋情報が設定されている頁（例えば、５頁））若しくは前の付箋情報が設定された商品カタログの頁（現在表示されている商品カタログの頁（例えば、５頁）の前に付箋情報が設定されている頁（例えば、１頁））が表示されることになる。
【００４９】
また、商品カタログ５３は、入力部１４の操作により、縦横スクロール表示及び拡大縮小表示（例えば、所望の商品情報の掲載部分を画面中央にスクロールさせて拡大表示すること）が可能である。
【００５０】
次いで、制御部１１は、商品カタログの頁捲り処理を行う（ステップＳ３）。商品カタログの頁捲り処理においては、例えば、端末装置１の利用者が入力部１４を操作して次頁へボタン５６を指定することにより、表示されている頁が進んで次の頁が表示される。また、例えば、端末装置１の利用者が入力部１４を操作して表示された見出し情報を指定することにより、当該見出し情報に対応付けられた付箋情報が設定された商品カタログの頁が、当該付箋情報に対応付けられた表示態様情報にて示される表示態様（例えば、表示倍率及び表示位置）で表示されると共に、図６（Ｃ）に示す付箋情報５７が表示されることになる。図６（Ｃ）の例では、見出し情報５１と付箋情報５７の内容は同一になっている。この見出し情報５１と付箋情報５７の内容は、利用者が端末装置１の入力部１４を操作して変更可能である（当該内容が変更された場合、その変更情報が情報提供サーバ２に送信され、利用者情報データベース２２ｂ内の利用者情報に含まれる見出し情報が変更されることになる）。
【００５１】
次に、利用者が端末装置１の入力部１４を操作して付箋情報設定（新たな付箋情報の設定）指示を行う（例えば、マウスにより所望の商品カタログの頁の任意の箇所を指定（クリック）した後、付箋設定ボタン５８を指定する）と、制御部１１は、これに応じ（ステップＳ４：Ｙ）、付箋番号（当該利用者内で重複しない番号）を発行し、見出し情報、及びそのときの商品カタログの表示態様（例えば、表示倍率及び表示位置）を示す表示態様情報を取得する（ステップＳ５）。かかる見出し情報は、端末装置１の利用者により入力部１４を操作して入力されたものであっても良いし、商品カタログのデータから抽出されるものであっても良い。
【００５２】
次いで、制御部１１は、付箋情報設定指示された商品カタログ（表示状態にある商品カタログ）の頁に付箋情報（付箋番号、付箋表示データ及び商品カタログのどの位置に付けるか（表示するか）を示す座標情報）を設定し（例えば、商品カタログの頁と、付箋情報とを対応付ける）、上記取得した見出し情報、表示態様情報、商品カタログの頁、及び付箋情報を対応付けて記憶する（ステップＳ６）。
【００５３】
次いで、制御部１１は、付箋一覧内に見出し情報を表示すると共に、上記付箋情報設定指示された商品カタログの頁の設定箇所に当該見出し情報に対応する付箋情報を表示する（ステップＳ７）。
【００５４】
次いで、制御部１１は、上記付箋情報、見出し情報、商品カタログの頁及び表示態様情報を含む設定指令情報をネットワークＮＴを介して情報提供サーバ２に送信する（ステップＳ８）。
【００５５】
次いで、制御部１１は、商品カタログの表示終了指示があったか否かを判別し（ステップＳ９）、あった場合（ステップＳ９：Ｙ）、例えば利用者が入力部１４を操作して終了指示を行った場合には、当該処理を終了し、当該終了を示す情報が情報提供サーバ２に送信されることになる。一方、商品カタログの表示終了指示がない場合には（ステップＳ９：Ｎ）、ステップＳ３に戻り上記と同様の処理を行う。こうして、利用者は、商品カタログの所望の頁に対して多く付箋情報を設定していくことができる（１頁に対し、複数の付箋情報を設定することも可能である）。
【００５６】
一方、情報提供サーバ２における制御部２１は、端末装置１から送信されてきた設定指令情報を受信すると（ステップＳ１４：Ｙ）、当該設定指令情報に含まれる上記付箋情報、見出し情報、商品カタログの頁及び表示態様情報を、当該利用者ＩＤに対応付けて利用者情報データベース２２ｂに記憶する（ステップＳ１５）。
【００５７】
次いで、制御部２１は、商品カタログの表示終了指示があったか否かを判別し（ステップＳ１６）、あった場合（ステップＳ１６：Ｙ）、例えば端末装置１から終了を示す情報が送信された場合には、当該処理を終了する。一方、商品カタログの表示終了指示がない場合には（ステップＳ１６：Ｎ）、ステップＳ１４に戻り上記と同様の処理を行う。
【００５８】
以上説明したように上記実施形態によれば、端末装置１の利用者により入力部１４を通じて指定された商品カタログの頁に目印となる付箋情報を設定し、当該付箋情報が設定された商品カタログの頁に記載される内容を示す内容情報の一例としての見出し情報を付箋情報に対応付けて記憶しておき、当該見出し情報を上記商品カタログとは独立して表示させ、当該見出し情報が入力部１４を通じて利用者により指定された場合には、当該見出し情報に対応付けられた付箋情報が設定された商品カタログの頁を表示させるようにしたので、利用者は、商品カタログのどの頁に付箋（付箋情報）を付けたのかを、その頁を実際に開いてみなくても迅速に把握することができ、さらに、商品カタログ上に付箋を多く付けすぎても、そこに掲載された例えば商品情報が見難くなることがない。よって、付箋情報を有効に活用することができる。
【００５９】
更に、付箋情報が設定された商品カタログの頁の表示態様（例えば、表示倍率及び表示位置）を示す表示態様情報であって、当該付箋情報が設定された際の電子冊子の頁の表示態様情報を付箋情報に対応付けて記憶しておき、上記見出し情報が入力部１４を通じて利用者により指定された場合には、当該見出し情報に対応付けられた付箋情報が設定された商品カタログの頁を、当該付箋情報に対応付けられて記憶された表示態様情報にて示される表示態様で表示させるようにしたので、利用者は、付箋情報を設定した際の商品情報の大きさ及び位置で、後からこれを見ることができ、知りたい情報をすぐに見つけることができ、可読性を向上させることができる。
【００６０】
図７（Ａ）は、初期設定された表示態様での商品カタログの表示例を示す図であり、図７（Ｂ）は、記憶された表示態様情報にて示される表示態様での商品カタログの表示例を示す図である。図７（Ｂ）に示されるように、利用者は、付箋情報を設定した際の拡大した表示状態で商品情報を見ることができる。
【００６１】
なお、上記実施形態において、付箋情報の表示をＯＮ／ＯＦＦするように構成しても良い。
【００６２】
図８は、付箋情報の表示ＯＮ／ＯＦＦ機能を有する場合の商品カタログの表示例を示す図である。図８（Ａ）の表示例では、付箋情報の表示ＯＮが選択されており、商品カタログに付随して付箋情報及びメモが表示されているのに対し、図８（Ｂ）の表示例では、付箋情報の表示ＯＦＦが選択されており、付箋情報等が商品されていない。
【００６３】
このように構成すれば、商品カタログの１頁に多くの付箋情報等が設定されている場合であっても、表示ＯＦＦすることによって見易くすることができる。
【００６４】
また、上記実施形態において、同一の商品カタログに対して利用者（利用者ＩＤ）毎に付箋情報の設定し、付箋情報が設定された商品カタログの頁に記載される内容を示す見出し情報を、利用者毎に切替可能に表示させるように構成しても良い。
【００６５】
図９は、利用者毎に付箋情報及び利用者情報が切替可能とした場合の商品カタログの表示例を示す図である。図９（Ａ）の表示例では、利用者「父」が選択されており、当該利用者「父」の付箋情報及び利用者情報のみが表示されているのに対し、図９（Ｂ）の表示例では、利用者「母」が選択されており、当該利用者「母」の付箋情報及び利用者情報のみが表示されている。
【００６６】
このように構成すれば、複数の利用者により設定された商品カタログを同一画面上で切替えて表示可能となり、利便性及び可読性を向上させることができる。なお、設定した付箋情報を後から所定のカテゴリーでグループ分けするように構成しても良い。
【００６７】
また、上記実施形態においては、上記見出し情報として、商品カタログの頁とその頁の見出しである商品分類が含まれる情報を例にとって説明したが、これに限定されるものではなく、例えば、商品カタログの頁に記載される内容（例えば、商品情報）に関連する情報を提供するリンク先の情報（リンク先のタイトル・属性名、ＵＲＬなど）であっても良い。この場合、上記図５（Ａ）に示すステップＳ５において、利用者が端末装置１の入力部１４を操作して商品カタログの所望の頁のリンク先の情報が表示されている箇所（リンク部分）を指定すると、当該リンク先の情報が、制御部１１により例えば商品カタログのデータのタグ情報やメタ情報から取得され（或いは、リンク先の情報が表示されている箇所（リンク部分）にＩＤを埋め込んでおき、当該リンク部分が指定されると、当該ＩＤが取得されデータベースからリンク先の情報が呼び出され）、リンク先の情報が付箋情報に対応付けられ、商品カタログとは独立して表示される。
【００６８】
図１０は、リンク先の情報を見出し情報とした場合の商品カタログの表示例を示す図である。図１０の表示例では、リンクインデックス欄内にリンク先の情報６１が表示されており、これは付箋情報６２に対応付けられている。
【００６９】
このように構成すれば、利用者は、商品カタログのどの頁にどのようなリンク先の情報が掲載されているかを一目で判断することができる。
【００７０】
また、上記実施形態においては、電子冊子として、商品カタログを例にとって説明したが、これに限定されるものではなく、辞書や書籍等の冊子であれば、如何なるものに対しても適用可能である。
【００７１】
また、上記実施形態においては、端末装置１と情報提供サーバ２により構成された電子冊子表示システムＳに対して本発明を適用したが、これに限定されるものではなく、スタンドアローン型のコンピュータに対しても適用可能である。
【００７２】
また、上記実施形態においては、端末装置１が、本発明の目印情報設定手段及び対応付け記憶手段を具備する例について説明したが、別の例として、情報提供サーバ２が本発明の目印情報設定手段及び対応付け記憶手段を具備するように構成しても良い。
【図面の簡単な説明】
【００７３】
【図１】本実施形態に係る電子冊子表示システムの全体構成例を示す図である。
【図２】情報提供サーバ２の概要構成例を示す図である。
【図３】利用者情報データベース２２ｂに記憶された利用者情報の一例を示す図である。
【図４】端末装置１の概要構成例を示す図である。
【図５】（Ａ）は、端末装置１における制御部１１の処理を示すフローチャートであり、（Ｂ）は、情報提供サーバ２における制御部２１の処理を示すフローチャートである。
【図６】（Ａ）は、利用者情報がない場合の商品カタログの表示例を示す図であり、（Ｂ）及び（Ｃ）は、利用者情報がある場合の商品カタログの表示例を示す図である。
【図７】（Ａ）は、初期設定された表示態様での商品カタログの表示例を示す図であり、（Ｂ）は、記憶された表示態様情報にて示される表示態様での商品カタログの表示例を示す図である。
【図８】付箋情報の表示ＯＮ／ＯＦＦ機能を有する場合の商品カタログの表示例を示す図である。
【図９】利用者毎に付箋情報及び利用者情報が切替可能とした場合の商品カタログの表示例を示す図である。
【図１０】リンク先の情報を見出し情報とした場合の商品カタログの表示例を示す図である。
【符号の説明】
【００７４】
１  端末装置
２  情報提供サーバ
１１  制御部
１２  記憶部
１３  通信部
１４  入力部
１５  表示部
２１  制御部２１
２２  記憶部２２
２２ａ  電子冊子データベース
２２ｂ  利用者情報データベース
ＮＴ  ネットワーク
Ｓ  電子冊子表示システム
【図１】
2007072577.tif 000003
【図２】
2007072577.tif 000004
【図３】
2007072577.tif 000005
【図４】
2007072577.tif 000006
【図５】
2007072577.tif 000007
【図６】
2007072577.tif 000008
【図７】
2007072577.tif 000009
【図８】
2007072577.tif 000010
【図９】
2007072577.tif 000011
【図１０】
2007072577.tif 000012